(57)【要約】【課題】防水シートを敷設する際に障害となる形状の複雑さを解消して敷設作業を容易にし、信頼性の高い防水を施すことができる防水構造を提供する。【解決手段】折板屋根の山部Ｙの頂面２にて屋根材１が接合されて該頂面２に突起物６を有する折板屋根の防水構造において、頂面２と突起物６とで形成された凹部を均すように突起物の長手方向に伸びる均し材８を配置し、突起物６による形状の複雑さを解消した状態でその上から防水シート９を敷設する。【選択図】　　図１
2004060303.tif 000002
【特許請求の範囲】
【請求項１】
波状に折り曲げられた屋根材を建物の上に複数配置して隣同士を接合し、山部と谷部が交互に繰り返し配置された折板屋根であって、前記山部の頂面にて屋根材が接合されて該頂面に突起物を有する折板屋根の防水構造において、頂面と突起物とで形成された凹部を埋めるように突起物の長手方向に伸びる均し材を配置して、その上から防水シートを敷設したことを特徴とする折板屋根の防水構造。
【請求項２】
均し材はゴムもしくは樹脂を素材とする発泡体からなる請求項１記載の折板屋根の防水構造。
【請求項３】
頂面と突起物とで形成される凹部と共に突起物の上部をも覆う一体物からなる均し材を用いた請求項１または２記載の折板屋根の防水構造。
【発明の詳細な説明】
【０００１】
【発明の属する技術分野】
本発明は長尺折板屋根や波板屋根、波形石綿スレート屋根と呼ばれるものなど板状の屋根材をボルト・ナットなどの留付け金物に代表される締着材で固定したり、屋根材同士をかしめることによって隣り合う屋根材を固定したりした屋根であり、接合部において突起物が屋根上に突出しているような折板屋根の防水構造に係る。
【０００２】
【従来の技術】
長尺折板屋根や波板屋根、波形石綿スレート屋根などの屋根は、体育館や屋根付きの広場、駐車場、ガソリンスタンドなどの広い場所や、プレハブ建物の屋根、また軒の屋根としてよく使用されており、例えば長尺折板屋根であると比較的厚物（０．５〜１．６ｍｍ）の亜鉛鉄板やカラー鉄板の長尺品などの金属板を用いて長手方向に一山または三山程度に折り曲げた屋根材で、その接合は重ね型、はぜ締め型、かんな合型などの施工方法があって屋根を形成していくものである。
【０００３】
このような折板屋根、波板屋根、波板石綿スレート屋根などは、板状の屋根材をボルト・ナットなどの締着材によって骨材に固定したり、また接合部において隣り合う屋根材同士をかしめることによって固定したりしており、経年後、緊結部のボルト、座金の錆の発生とパッキンの緩み、隣り合う屋根材同士をかしめた部分の緩みが原因で漏水の発生となる。また、海岸付近などでは屋根材自体の錆の発生も問題となっている。
【０００４】
そこで、一般的に用いられている折板屋根の補修方法としては、締着材の部分などの問題となる部分をコーキング程度の補修をする方法、もしくはもっと大がかりな補修方法として、主にウレタンゴム系、アクリルゴム系、ゴムアスファルト系、不飽和ポリエステル樹脂系、エチレンビニルアセテート系などの塗膜防水を施す方法が行われている。
【０００５】
また、ＰＶＣ、ポリエチレン、ＡＢＳ、６−ナイロンなどの硬質の樹脂材料からなるキャップにシール材を充填して締着材に被せるといった補修方法も採られている。
【０００６】
【発明が解決しようとする課題】
しかし、締着材部分をコ―キングする程度の補修では、長期的に補修の効果を持たせることは期待できない。
【０００７】
また、塗膜防水材は、金属板と金属板との接合部の目地における温度変化による熱伸縮の動きや、強風などが原因の動きに対して追従することができず、当然他の部分より劣化が早く、早期に塗膜防水材の破断に至ってしまう。また、現場での塗膜材の塗布は、屋根形状が複雑なために比較的困難であり、塗膜厚の管理も難しい。
【０００８】
硬質樹脂からなるキャップを被せる方法では、キャップが外れてしまうという問題が発生している。漏水を防ぐために屋根表面に例えばゴム製の防水シートを敷設することが考えられるが締着材部分をどのように処理するかという問題が残っている。
【０００９】
そこで、以上のような課題を解決するために本発明では金属製の屋根材が温度変化により伸縮したり、強風で動いたりするのに対して追従することができるとともに、形状の複雑さによる施工の困難さを解消し、部分的にキャップを被せるなどの比較的容易に脱落してしまうといった問題のない折板屋根の防水構造の提供を目的とする。
【００１０】
【課題を解決するための手段】
本発明では以上のような目的を達成するために請求項１では、波状に折り曲げられた屋根材を建物の上に複数配置して隣同士を接合し、山部と谷部が交互に繰り返し配置された折板屋根であって、前記山部の頂面にて屋根材が接合されて該頂面に突起物を有する折板屋根の防水構造において、頂面と突起物とで形成された凹部を埋めるように突起物の長手方向に伸びる均し材を配置して、その上から防水シートを敷設したことを特徴とする。
【００１１】
このように、折板屋根の山部に形成された接合部において、頂面に突出している突起物と頂面とで形成された凹部に均し材を配置することによって、防水シートを敷設する際に障害となる形状の複雑さを解消することができるので、敷設作業を容易に行うことができ、また確実に信頼性の高い防水を施すことができる。
【００１２】
請求項２では、均し材はゴムもしくは樹脂を素材とする発泡体からなる折板屋根の防水構造としている。突起物の形状に対して沿いやすくどんな形状をしていても、また均し材と突起物の形状が多少異なっていても沿わせることができ、また防水シートとの間の密着性や接着性にも優れているので、より防水構造の信頼性を高めることができるものである。
【００１３】
請求項３では、頂面と突起物とで形成される凹部と共に突起物の上部をも覆う一体物からなる均し材を用いた折板屋根の防水構造としている。突起物の側方のみならず上部も覆ってしまう均し材とすることによって、突起物の存在に関係なく防水シートを敷設しやすい平滑な面を形成することができる。
【００１４】
【発明の実施の形態】
本発明を長尺折板屋根に施した場合の防水構造を図１に示す。また、図２は屋根材１に均し材８を配置したところの斜視図であり、図３は屋根材１の斜視図である。
【００１５】
折板屋根とは、図３に示すような波形に折り曲げて形成した金属製の板からなる屋根材１を用いた屋根葺き方法であり、波形は頂面２の両側に斜面３が続き、斜面３の下端から底面４が延びており、その先は斜面３、頂面２と同様に続いている。そして夫々の面の間は折曲げ部５となっており、断面台形状の波形となっている。
【００１６】
通常、折板屋根１は山部Ｙと谷部Ｔが交互にある波形になっている形状で一波分の幅の金属材を、多数並べて山部Ｔの頂面２を重ねあわせてボルト止めしたり、端部同士をかしめたりすることによって屋根を形成している。よって、頂面２の部分には締着材、かしめ部といった突起物６が突出していることになる。
【００１７】
そのような折板屋根１が年月を経て、雨漏りを発生したときに改修しなければならないが、防水の改修などでよく使用されるシート防水工法は、上記のような折板屋根の場合締着材やかしめ部といった突起物６が突出していることから通常は使用しにくい。
【００１８】
本発明では、図２に示すように既存折板屋根の山部Ｙの頂面２上に突出している突起物６と頂面２とで形成する凹部７を埋めるようなかたちで、二本の均し材８を配置し、斜面３と略面一であり、突起物６の上面とも滑らかに連続するような面を形成させる。そうした上で図１に示すように防水シート９を敷設する。
【００１９】
均し材８は、凹部７の形状にもよるが、通常断面が略三角形の三角柱形状の部材であり、凹部７に配置した状態で一面が屋根材の斜面と面一になるような形状をしている。
【００２０】
用いられる素材としてはエチレン・プロピレン・ターポリマー（ＥＰＴ）、ブチルゴム（ＩＩＲ）、クロロスルフォン化ポリエチレン（ＣＳＭ）などの加硫ゴム単独もしくはブレンド物からなるものや、中密度ポリエチレン樹脂、高密度ポリエチレン樹脂、塩化ビニル樹脂などの樹脂の単独もしくはブレンド物からなるもの、その他スチレン・ブタジエン・スチレン（ＳＢＳ）、エチレンビニルアセテート（ＥＶＡ）などからなる熱可塑性エラストマーが挙げられる。
【００２１】
そして、さらにはこれらの素材からなる発泡体からなることが好ましい。発泡倍率は１０〜４０倍の範囲とし、１０倍未満であると凹部７の形状が複雑になればその形状に沿いにくくなり、安定して配置することができなくなったり、斜面３との間で面一になりにくくなったりするので好ましくない。また４０倍を超えるとやわらかくなりすぎて均し材としての働きができなくなるので好ましくない。
【００２２】
防水シート９は、通常のシート防水で用いられるのと同じ防水シートであり、素材は屋根用防水キャップと同様エチレン・プロピレン・ターポリマー（ＥＰＴ）、ブチルゴム（ＩＩＲ）、クロロスルフォン化ポリエチレン（ＣＳＭ）などの加硫ゴム単独もしくはブレンド物からなるものや、中密度ポリエチレン樹脂、高密度ポリエチレン樹脂、塩化ビニル樹脂などの樹脂の単独もしくはブレンド物からなるもの、その他スチレン・ブタジエン・スチレン（ＳＢＳ）、エチレンビニルアセテート（ＥＶＡ）などからなる熱可塑性エラストマーからなるものを用いることができる。
【００２３】
屋根材１は金属製であり通常は溶融亜鉛メッキ鋼板、溶融アルミニウムメッキ鋼板、塩化ビニル樹脂と金属との積層板、冷間圧延ステンレス鋼板などからなり、表面にはポリエステル樹脂、フッ素樹脂、アクリル樹脂などの塗膜が施されている。
【００２４】
均し材８と屋根材１との接着は、ブチルゴム、クロロプレンゴム、ニトリルゴム、アスファルトエマルジョン等からなるゴム糊や、前記ゴムを非加硫、未加硫のテープ状にした接着材を用いて接着することができる。
【００２５】
また、均し材８と防水シート９とを接着する場合については、ブチルゴム、クロロプレンゴム、ニトリルゴム、アスファルトエマルジョン等からなるゴム糊や、前記ゴムを非加硫、未加硫のテープ状にした接着材を用いるか、熱可塑性の素材である場合には熱融着することも可能である。
【００２６】
均し材８を屋根材１の凹部６に配置する際に、均し材８と屋根材１の間にブチルゴム、変性シリコン、ウレタン、チオコールなどのシール材を注入しておいてもよい。
【００２７】
これまでの説明では均し材８は断面三角形状の部材で、その部材２本を突起物６の両側に配置する形態のみを説明したが、図４に示すように突起物６全体を上から覆うような均し材８を用いることによって斜面３と面一の面を形成して防水シート９の敷設を容易にするといった方法も本発明の範囲に含まれるものである。
【００２８】
以上のように長期にわたって使用して漏水が発生している折板屋根の改修をするのに、屋根材１上に防水シート９を敷設するにあたって、従来は屋根材１の頂面２に突起物６が存在するために、防水シート９による改修工事は非常に困難なものであり、通常は防水塗料なども含めて塗膜防水が行われていた。
【００２９】
しかし、屋根材１の頂面２と突起物６とで形成された凹部７に均し材８を配置することによって、面一の面を形成することができるので、その上から防水シート９を敷設して改修工事を行うことは容易であり、しかも防水シート１０が沿いやすいので敷設時のミスによる漏水やシートの破れといったような問題が発生しにくく、良好な防水構造を得ることができるものである。
【００３０】
【発明の効果】
以上のように本発明の請求項１では、波状に折り曲げられた屋根材を建物の上に複数配置して隣同士を接合し、山部と谷部が交互に繰り返し配置された折板屋根であって、前記山部の頂面にて屋根材が接合されて該頂面に突起物を有する折板屋根の防水構造において、頂面と突起物とで形成された凹部を埋めるように突起物の長手方向に伸びる均し材を配置して、その上から防水シートを敷設したことを特徴とする。
【００３１】
このように、折板屋根の山部に形成された接合部において、頂面に突出している突起物と頂面とで形成された凹部に均し材を配置することによって、防水シートを敷設する際に障害となる形状の複雑さを解消することができるので、敷設作業を容易に行うことができ、また確実に信頼性の高い防水を施すことができる。
【００３２】
請求項２では、均し材はゴムもしくは樹脂を素材とする発泡体からなる折板屋根の防水構造としている。突起物の形状に対して沿いやすくどんな形状をしていても、また均し材と突起物の形状が多少異なっていても沿わせることができ、また防水シートとの間の密着性や接着性にも優れているので、より防水構造の信頼性を高めることができるものである。
【００３３】
請求項３では、頂面と突起物とで形成される凹部と共に突起物の上部をも覆う一体物からなる均し材を用いた折板屋根の防水構造としている。突起物の側方のみならず上部も覆ってしまう均し材とすることによって、突起物の存在に関係なく防水シートを敷設しやすい平滑な面を形成することができる。
【図面の簡単な説明】
【図１】本発明の折板屋根の防水構造を示す斜視図である。
【図２】屋根材に均し材を配置したところの斜視図である。
【図３】屋根材の斜視図である。
【図４】均し材の別の例を示す図２に相当する斜視図である。
【符号の説明】
１　　屋根材
２　　頂面
３　　斜面
４　　底面
５　　折曲げ部
６　　突起物
７　　凹部
８　　均し材
１０　防水シート
【図１】
2004060303.tif 000003
【図２】
2004060303.tif 000004
【図３】
2004060303.tif 000005
【図４】
2004060303.tif 000006